(57)【特許請求の範囲】
【請求項１】
連続したＬＥＤを長さ方向に多数配置した長方形状であり、長さが椅子の座面幅である、人のひざ裏を照射することが出来る発光手段と、
前記発光手段の光がひざ裏を照射するように前記発光手段を位置させることができる感圧性接着材と、を設け、
椅子に接着不要の時は前記感圧性接着材にライナーをかぶせて接着面を露出せずライナーをはがさず、
時差是正の効果を発光点滅変換スイッチでデューティ比を変更することによって調整する、
時差取り器。
【発明の詳細な説明】
【技術分野】
【０００１】
発光体をイスなどに付着し又は床に置き、膝裏を照射する事により時差を取ることを特徴とする技術分野。
【背景技術】
【０００２】
近年、航空機網の発達により、世界の航空網を使用して外国に出かける機会が増えて、時差で苦しむ人が多い。
【発明の概要】
【発明が解決しようとする課題】
【０００３】
遠国に旅行して日本に帰国する場合、その外国と日本との間に大きい時差があるので、帰国しても体がなかなか日本の時間に馴染まず、所謂時差ボケになる。従って、このような時差ボケを調整する必要がある。
【０００４】
本発明はこのような課題に鑑みてなされたものであって、時差ボケを速やかに取り除くことができる簡易な時差取り器を提供することを目的としている。
【課題を解決するための手段】
【０００５】
どこでもできるひざの裏に光を当てて時差ボケを取る。
【発明の効果】
【０００６】
海外旅行等で時差のため睡眠できなくなったり、気分が悪くなったりす
る。本発明はいつでもどこに居てもこれを安価に迅速に解決で、ポータブ
ルであるので、海外旅行者の必需品となる。また時差取りに外に出て太陽
を浴びる必要なく、室内で時差取りができ、且つ室内でも明るい光を当て
る公知の方法でなく、くらい部屋でも時差取りができるので、他人に迷惑
をかけない、また寝ても座っても時差がとれ、どこでも広く使用が可能で、
更に又、時差以外に気分の悪くなった人、がんで心の滅入った患者や受験
勉強で頭を整えたい人にも効果があることが判った。

【図面の簡単な説明】
【０００７】
【図１】本発明実施例１を示す図
【図２】同上断面図
【図３】時差ボケのある患者に本発明を用いる時の状態を示す図
【図４】本発明具を椅子で実現した例を示す図
【図５】本発明具の正面平面図
【図６】本発明具の裏面平面図
【図７】本発明具の側面図
【図８】本発明具を使用中の側面図
【図９】本発明具を使用中の上面図
【発明を実施するための形態】
【０００８】
図1は本発明実施例１を示す図である。図２はこの横断面図である。チップ１にＬＥＤ発光部２があり、これをＵ型アルミ３に入れ、その上から逆Ｕ型透明プラスティック４をかぶせ、前記Ｕ型アルミ３の下にシート５を設ける。これに変換スイッチ６を接続する。該変換スイッチ６は明るさ変換スイッチ７，点滅変換スイッチ８，コード変換スイッチ９よりなる。明るさ変換スイッチ７は後述するＬＥＤの明るさを調整する。
【０００９】
８は点滅状態変換部であり、光の点滅状態を調整する。例えばＬＥＤをパルス駆動する時のデューティ比を調整する。９はコードを変換するコード変換部で、ＬＥＤを駆動する時の全体の駆動モードを必要なコードに変換する。変換スイッチ６の先にＡＣ／ＤＣコンバータ１０を繋ぎ、交流電圧（ＡＣ）を直流電圧に変換させる。ＡＣ／ＤＣコンバータ１０の先はＡＣソケット１１に接続されており、ＡＣ電源を入力する。
【００１０】
図３は時差ボケのある人が本発明装置を使用していることを示す側面図である。図において、１２は時差ボケのある人、１３はひざである。１４はひざ裏である。ひざ裏１４に図１の本発明装置を配設し、ＬＥＤ２からひざ裏１４を照射する。ひざ裏１４には、光を感じる細胞があることが知られている。この状態で変換スイッチ６を調整して、最適な照射ができるようにする。
図４は本発明装置を椅子に接着した実施例２を示す見取り図である。接着は前記Ｕ型アルミ３の下に感圧性接着両面テープを貼るが二種混合ボンド等で椅子に接着する。１６は電源スイッチ、ＬＥＤ２が丁度ひざ裏１４を照射できるようにする。
【００１１】
図５，図６，図７までは本発明の第３の実施例の説明図である。この実施例は図５の如く筐体２３に押しボタン２２があり、その中にLED２１がある。本発明の裏側は図６の如く筐体２３の中央に電池ケース２４があり、前記電池ケース２４の中に電池２５を挿入して使用する。
この実施例の側面図は図７に示す如く筐体２３の底部（図で左側）に両面に感圧性接着剤をコーティングした発砲ウレタン等クッション材２６を貼り付け、そのクッション材２６の外側の感圧性接着剤に接着面保護用リリースライナ２７を貼り付け、内部はＬＥＤ２１を設けたものが本発明３の実施例である。
【００１２】
プッシュボタン２２を押すと、バッテリ２５によりLED２１が点灯する。
本発明を使用するには図８に示す如く、時差のある人２０をイス３３に座らせ、その座面の前方３４に本発明装置を貼り付ける。それにはリリースライナ２７をはぎ取ればクッション材２６の感圧性接着材面が出るので前記座面３４のエッヂに押し付けるとイスがザラザラした面や凹凸面であっても発砲ウレタン等クッション材２６がその凹凸に対応して凹凸し接着される。これが本発明第４の実施例である。
【００１３】
図９は図８を上から見た図で、本発明装置の接着位置と方向はLED２１が人２０のひざ３１の裏側２８を照射２９する位置に図９の如く取り付ける。LEDの光２９が時差のある人３０のひざ３１の裏側２８を照射する。
通常、明光を見るには、太陽を見ろとあり、強い光を見るとか言われるが、本発明装置を使用すれば、ひざ裏面２８を照射するだけでよいので、暗い部屋でもよく、前記の如く人のひざ３１の裏２８には目と同じ光に感ずる神経があり、ここに光を当てることにより時差により狂っていた脳内時計が是正され、時差ボケがなくなる。
これは目に光を当てて時差ボケを是正すると同じ効果となる。本発明は上記の丸形以外、例えば角形にしたり、乾電池でなく、交流（ＡＣ）で作動させたり感圧型接着剤でなく永久接着したり、ＬＥＤ以外の光を使用したりこれらの変形も本発明に含まれるものである。
【産業上の利用可能性】
【００１４】
時差のある産業人のいつでも、どこでも仕事の効率を高め、作業が手短にでき、産業上の利用可能性大である。
【符号の説明】
【００１５】
１    ＬＥＤテープ
２    ＬＥＤ
３    Ｕ型アルミ棒
４    コの字型透明プラスチックカバー
５    座面シート
６    変換スイッチ
７    明るさ変換スイッチ
８    点滅変換スイッチ
９    コード変換スイッチ
１０  ＡＣ／ＤＣコンバータ
１１  ＡＣソケット
１２  時差のある人
１３  ひざ
１４  ひざ裏
１５  ＬＥＤ光
１６  電源スイッチ
２０  時差のある人
２１  ＬＥＤ
２２  押しボタン
２３  筐体
２４  電池ケース
２５  電池
２６  発泡ウレタン等クッション材
２７  リリースライナ
２８  ひざ裏
２９  照射光
３１  ひざ
３３  椅子
３４  座前面
【図１】
0006638940.tif 000002
【図２】
0006638940.tif 000003
【図３】
0006638940.tif 000004
【図４】
0006638940.tif 000005
【図５】
0006638940.tif 000006
【図６】
0006638940.tif 000007
【図７】
0006638940.tif 000008
【図８】
0006638940.tif 000009
【図９】
0006638940.tif 000010